(57)【要約】【課題】  デザイン性に富み、自分で背中を掻くことのできる直定規を提供する。【解決手段】  帯板状の直定規本体1において、直定規本体1の長手方向の一端2側には後述する孫の手部4を形成する折り曲げ部3を設け、前記長手方向Ｘの他端5側の上面6には上面6と裏面7とを連通する貫通孔8を設け、直定規本体1の上面6における一対の長辺の一方に長さ測定用の寸法目盛9が設けられている。前記折り曲げ部3は、直定規本体1の長手方向の一端2方向に斜め上方向に向けて円弧状に立ち上げて形成されている。そして直定規本体1の長手方向の一端2に切込み10を長手方向Ｘに設ける。この切込み10は幅方向に等間隔に配置しており、切込み10、折り曲げ部3、さらには直定規本体1の長手方向Ｘの一端2を掻き部11として孫の手部4を形成している。【選択図】図１
0003112586.tif 000002
【実用新案登録請求の範囲】
【請求項１】
直定規本体の長手方向の一端を上方向に向けて折り曲げて折り曲げ部を形成したことを特徴とする直定規。
【請求項２】
前記一端を該一端方向の斜め上方向に向けて折り曲げて前記折り曲げ部を形成したことを特徴とする請求項１記載の直定規。
【請求項３】
前記折り曲げ部の先端は、内側に折り返されて形成されていることを特徴とする請求項１又は２記載の直定規。
【請求項４】
前記折り曲げ部の先端に掻き部が形成されていることを特徴とする請求項１〜３のいずれか１項に記載の直定規。
【請求項５】
前記掻き部は、前記一端に対し切込みを設けたことを特徴とする請求項４記載の直定規。
【請求項６】
前記掻き部は、前記一端を円弧状に先細形状に形成したことを特徴とする請求項４記載の直定規。
【請求項７】
前記掻き部は、前記折り曲げ部の先端に突起を設けたことを特徴とする請求項４記載の直定規。
【請求項８】
直定規本体の長手方向の一端側上面に掻き用の突起を設けたことを特徴とする直定規。
【請求項９】
前記直定規本体において、前記突起の設置箇所の板厚を大きくして上向きに傾斜したことを特徴とした請求項８記載の直定規。
【請求項１０】
直定規本体の長手方向における一端の板厚を他の部分に対し厚く形成して該箇所を上向きに傾斜したことを特徴とする直定規。
【考案の詳細な説明】
【技術分野】
【０００１】
本考案は、背中を掻ける直定規に関するものである。
【背景技術】
【０００２】
従来、直定規に関して側面に横溝を形成したものが公知である（例えば、特許文献１）。また、背中が痒いとき、家にいるときなど、孫の手を使ったり、家族に掻いてもらっており、前記孫の手には柄の先端に、柄長手方向が接線方向となる湾曲板状で、柄から先端側に向かうほど漸次的に幅広となる掻手部を形成してあり、掻手部の先端掻縁部には、この先端掻縁部を小爪が列状に並ぶ形状にして掻き効果を高める為の複数の切込みを形成したものがある（例えば、特許文献２）。
【特許文献１】実用新案登録第３１０８５９３号公報
【特許文献２】特開平９−７５４１２号公報
【考案の開示】
【考案が解決しようとする課題】
【０００３】
しかしながら、会社や学校では直定規は身近にあるが孫の手が身近にない場合が多いという問題点があった。
【０００４】
解決しようとする問題点は、孫の手が身近になく、会社や学校などで、机の上等の上に置かれた状態等の使用していない状態では周囲の人が孫の手とは認識せずにデザイン性に富んだ定規と認識される形状を有した、自分で背中を掻くことのできる直定規を提供することである。
【課題を解決するための手段】
【０００５】
請求項１の考案は、直定規本体の長手方向の一端を上方向に向けて折り曲げて折り曲げ部を形成したことを特徴とする直定規である。
【０００６】
請求項２の考案は、前記一端を該一端方向の斜め上方向に向けて折り曲げて前記折り曲げ部を形成したことを特徴とする請求項１記載の直定規である。
【０００７】
請求項３の考案においては、前記折り曲げ部の先端は、内側に折り返されて形成されていることを特徴とする請求項１又は２記載の直定規である。
【０００８】
請求項４の考案は、前記折り曲げ部の先端に掻き部が形成されていることを特徴とする請求項１〜３のいずれか１項に記載の直定規である。
【０００９】
請求項５の考案においては、前記掻き部は、前記一端に対し切込みを設けたことを特徴とする請求項４記載の直定規である。
【００１０】
請求項６の考案は、前記掻き部は、前記一端を円弧状に先細形状に形成したことを特徴とする請求項４記載の直定規である。
【００１１】
請求項７の考案においては、前記掻き部は、前記折り曲げ部の先端に突起を設けたことを特徴とする請求項４記載の直定規である。
【００１２】
請求項８の考案は、直定規本体の長手方向の一端側上面に掻き用の突起を設けたことを特徴とする直定規である。
【００１３】
請求項９の考案は、前記直定規本体において、前記突起の設置箇所の板厚を大きくして上向きに傾斜したことを特徴とした請求項８記載の直定規である。
【００１４】
請求項10の考案は、直定規本体の長手方向における一端の板厚を他の部分に対し厚く形成して該箇所を上向きに傾斜したことを特徴とする直定規である。
【考案の効果】
【００１５】
請求項１の考案によれば、帯板状の直定規本体の長手方向の一端を、上方向に向けて折り曲げ部が形成されていることにより、該一端側を孫の手としてマッサージに使用することで背中の痒さを解消できる。
【００１６】
請求項２の考案によれば、帯板状の直定規本体の長手方向の一端を、該一端方向の斜め上方向に向けて折り曲げ部が形成されていることにより、斜めに設けられた一端側を孫の手としてマッサージに使用することで背中の痒さを良好に解消できる。
【００１７】
請求項３の考案によれば、前記折り曲げ部の先端は、内側に折り返されて形成されていることにより、折り曲げ部の先端によるマッサージ箇所に対してのマッサージ効果を向上できる。
【００１８】
請求項４の考案によれば、前記折り曲げ部の先端に掻き部が形成されていることにより、該一端側を孫の手として使用する場合に、先端に設けられた掻き部によりマッサージ箇所に対するマッサージ効果を向上できる。
【００１９】
請求項５の考案によれば、前記掻き部は、前記一端に対し切込みを設けていることにより、掻き部に設けらた切込みがマッサージ時において、マッサージ箇所に対して適度の刺激を与えるとともに、直定規本体に対してのデザイン性も高めている。
【００２０】
請求項６の考案によれば、前記掻き部は、前記一端を円弧状に先細形状に形成したことにより、円弧状に先細形状に形成された掻き部がマッサージ時において、マッサージ箇所に対して適度の刺激を与えるとともに、直定規本体に対してのデザイン性も高めている。
【００２１】
請求項７の考案によれば、前記掻き部は、折り曲げ部の先端に対し突起を設けたことにより、掻き部に設けられた突起がマッサージ時において、マッサージ箇所に対して適度の刺激を与えるとともに、直定規本体に対してのデザイン性も高めている。
【００２２】
請求項８の考案によれば、直定規本体の長手方向の一端側上面に掻き用の突起を設けたことにより、前記一端に設けられた突起がマッサージ時において、マッサージ箇所に対して適度の刺激を与えるとともに、直定規本体に対してのデザイン性も高めている。
【００２３】
請求項９の考案によれば、前記直定規本体において、前記突起の設置箇所の板厚を大きくして上向きに傾斜したことにより、マッサージ時において直定規の他の部分よりも突起の設置箇所がマッサージ箇所に当接し易くなり、突起によるマッサージの効率が高まるとともに直定規本体に対してのデザイン性も高めている。
【００２４】
請求項10の考案によれば、直定規本体の長手方向における一端の板厚を他の部分に対し厚く形成して該箇所を上向きに傾斜したことにより、該直定規を孫の手として使用する時、厚く形成された一端がマッサージ箇所に当接され易くなり背中の痒さを良好に解消し、直定規本体に対してのデザイン性も高めている。
【考案を実施するための最良の形態】
【００２５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２６】
図1〜4は実施例1を示しており、帯板状の直定規本体1において、直定規本体1の長手方向Ｘの一端2側には後述する孫の手部4を形成する折り曲げ部3を設け、前記長手方向Ｘの他端5側の上面6には上面6と裏面7とを連通する貫通孔8を設け、直定規本体1の上面6における一対の長辺の一方に長さ測定用の寸法目盛9が設けられている。
【００２７】
前記折り曲げ部3は、直定規本体1の長手方向Ｘの一端2方向に斜め上方向に向けて円弧状に立ち上げて形成されている。そして直定規本体1の長手方向Ｘの一端2に切込み10を長手方向Ｘに設ける。この切込み10は幅方向に等間隔に配置しており、切込み10、折り曲げ部3、さらには直定規本体1の長手方向Ｘの一端2を掻き部11として孫の手部4を形成している。
【００２８】
本実施例では、折り曲げ部3を円弧状に立ち上げて形成しているが、図3に示すように折り曲げ部３の内角αは鋭角、直角又は鈍角でもよいものとする。
【００２９】
また、本考案では、直定規本体1の長手方向Ｘの一端2に切込み10を長手方向Ｘに設け、幅方向に等間隔に配置しているが、切込みの形状は前述の切込み10の形状以外にも図4に示すような形状であっても構わないものとする。
【００３０】
次に前記構成についての作用を説明する。
【００３１】
孫の手部4の使用方法を説明すると、直定規本体1の長手方向Ｘにおける他端5側をつかみ孫の手の柄とし、一端2側の掻き部11を肩、背中などのマッサージ箇所に当て、直定規本体1を孫の手としてマッサージを行う。掻き部11に設けられた切込み10がマッサージ時において、肩、背中などのマッサージ箇所に対しマッサージ効果を高める。
【００３２】
貫通孔8は、直定規本体1を不使用時には直接貫通孔8又は貫通孔8に通した紐等を壁などに吊り下げ保管する際の吊り下げ用穴とすることができる。
【００３３】
以上のように、前記実施例では請求項1に対応して帯板状の直定規本体1の長手方向Ｘの一端2を、上方向に向けて折り曲げ部3が形成されたことにより、該一端2側を孫の手としてマッサージに使用することで背中の痒さを解消することができる。
【００３４】
さらに前記実施例では請求項2に対応して帯板状の直定規本体1の長手方向Ｘの一端2を、一端2方向の斜め上方向に向けて折り曲げ部3が形成されたことにより、斜めに設けられた一端2側を孫の手としてマッサージに使用することで背中の痒さを良好に解消することができる。
【００３５】
また、前記実施例では請求項4に対応して前記折り曲げ部3の先端に掻き部11が形成されていることにより、一端2側を孫の手として使用する場合において、前記掻き部11によりマッサージ箇所に対するマッサージ効果を向上できるので、効率良く痒みを解消することができる。
また、前記実施例では請求項5に対応して前記掻き部11は、前記一端2に対し切込み10を設けていることにより、掻き部11に設けらた切込み10がマッサージ時において、マッサージ箇所に対して適度の刺激を与えるとともに、直定規本体1に対してのデザイン性も高めている。
【実施例２】
【００３６】
図5は実施例2を示しており、前記実施例1と同一部分には同一符号を付し、その詳細な説明を省略する。前記折り曲げ部3は、直定規本体1の長手方向Ｘの一端2方向に斜め上方向に向けて円弧状に立ち上げて形成されている。前記折り曲げ部3の先端である一端2は長手方向Ｘに折り返されて形成されている。その折り返しの角度βは、上面6に対する垂線に対しての傾斜角であり、角度βは鋭角、直角又は鈍角でもよいものとする。
【００３７】
直定規本体1を孫の手として使用する場合、一端2を肩、背中などのマッサージ箇所に当て、マッサージを行うことにより、肩、背中などのマッサージ箇所に対しマッサージ効果を高める。
【００３８】
以上のように、前記実施例では請求項3に対応して前記折り曲げ部3の先端である一端2は、内側に折り返されて形成されていることにより、折り曲げ部3の先端である一端2によるマッサージ箇所に対してのマッサージ効果を向上できる。
【実施例３】
【００３９】
図6は実施例3を示しており、前記実施例1と同一部分には同一符号を付し、その詳細な説明を省略する。前記折り曲げ部3は、直定規本体1の長手方向Ｘの一端2方向に斜め上方向に向けて円弧状に立ち上げて形成されている。折り曲げ部3と直定規本体1の長手方向Ｘの一端2を円弧状に先細形状に成形した掻き部12とで孫の手部13を形成している。
【００４０】
したがって、掻き部12における円弧状に成形された一端2が、直定規本体1を孫の手としてマッサージに使用するに場合において肩、背中などのマッサージ箇所に対しマッサージ効果を高める。
【００４１】
以上のように、前記実施例では請求項6に対応して前記掻き部12は、前記一端2を円弧状に先細形状に形成したことにより、円弧状に先細形状に形成された掻き部12がマッサージ時において、マッサージ箇所に対して適度の刺激を与えるとともに、直定規本体1に対してのデザイン性も高めている。
【実施例４】
【００４２】
図7は実施例4を示しており、前記実施例1と同一部分には同一符号を付し、その詳細な説明を省略する。掻き部15では、一端2側に半球状の突起14を設けたものである。折り曲げ部3と前記突起14を設けた掻き部15とで孫の手部16を形成している。
【００４３】
したがって、掻き部15における突起14が、直定規本体1を孫の手としてマッサージに使用するに場合において肩、背中などのマッサージ箇所に対しマッサージ効果を高める。
【００４４】
以上のように、前記実施例では請求項7に対応して前記掻き部15は、折り曲げ部3の先端に対し突起14を設けたことにより、掻き部15に設けられた突起14がマッサージ時において、マッサージ箇所に対して適度の刺激を与えるとともに、直定規本体1に対してのデザイン性も高めている。
【実施例５】
【００４５】
図8は実施例5を示しており、前記実施例1と同一部分には同一符号を付し、その詳細な説明を省略する。実施例4は切込みの変形例をそれぞれ示しており、図8（ａ）は切込み10が曲面状のもの、図8（ｂ）及び図8（ｃ）は切込み10が三角形状のもの、図8（ｄ）は切込み10が矩形状のもの、図8（ｅ）は切込み10が波形状のもの、図8（ｆ）は切込み10が半円形状のものを示している。
【実施例６】
【００４６】
図9は実施例6を示しており、前記実施4と同一部分には同一符号を付し、その詳細な説明を省略する。実施例6は突起の変形例をそれぞれ示しており、図9（ａ）は突起17が円錐状のもの、図9（ｂ）は突起18が円柱状のもの、図9（ｃ）は突起19が角柱状のもの、図9（ｄ）は突起20が角錐状のものを示している。
【実施例７】
【００４７】
図10は実施例7を示しており、前記実施例1と同一部分には同一符号を付し、その詳細な説明を省略する。掻き部21では、一端2側の上面6に角柱状の突起22を設けたものである。この突起22は上面6に幅方向に等間隔をあけて設置されており、一端2と掻き部21とで孫の手部23を形成している。
【００４８】
したがって、掻き部21における突起22が、直定規本体1を孫の手としてマッサージに使用するに場合において肩、背中などのマッサージ箇所に対しマッサージ効果を高める。
【００４９】
このように請求項8に対応して、直定規本体1の長手方向Xの一端2側に掻き用の突起22を設けたことにより、前記一端2に設けられた突起22がマッサージ時において、マッサージ箇所に対して適度の刺激を与えるとともに、直定規本体1に対してのデザイン性も高めている。
【実施例８】
【００５０】
図11は実施例8を示しており、前記実施例1と同一部分には同一符号を付し、その詳細な説明を省略する。掻き部24では、一端2側に角柱状の突起25を設けたものである。この突起25は直定規本体の板厚aに対し一端2側に板厚をb（a<b）となるように直定規本体を成形した面26上に幅方向に等間隔をあけて設置されており、一端2と掻き部24とで孫の手部27を形成している。
【００５１】
したがって、掻き部24における突起25が、直定規本体1を孫の手としてマッサージに使用する場合において前記面26に設置された前記突起25が肩、背中などのマッサージ箇所に対しマッサージ効果を高める。
【００５２】
このように請求項9に対応して、直定規本体1において、前記突起25の設置箇所の板厚を大きくして上向きに傾斜したことにより、マッサージ時において直定規本体1の他の部分よりも突起25の設置箇所がマッサージ箇所に当接し易くなり、突起25によるマッサージの効率が高まるとともに直定規本体1に対してのデザイン性も高めている。
【実施例９】
【００５３】
図12は実施例9を示しており、前記実施例1と同一部分には同一符号を付し、その詳細な説明を省略する。直定規本体1の板厚aに対し一端2の板厚をc（a<c）となるように成形することにより前記一端2を掻き部28として孫の手部29を形成している。
【００５４】
したがって、掻き部28における一端2が、直定規本体1を孫の手としてマッサージに使用する場合において、肩、背中などのマッサージ箇所に対しマッサージ効果を高める。
【００５５】
このように請求項10に応して、直定規本体1の長手方向Xにおける一端2の板厚を他の部分に対し厚く形成して該箇所を上向きに傾斜したことにより、該直定規本体1を孫の手として使用する時、厚く形成された一端2がマッサージ箇所に当接され易くなり背中の痒さを良好に解消し、直定規本体1に対してのデザイン性も高めている。
【図面の簡単な説明】
【００５６】
【図１】本考案の実施例１を示す直定規の斜視図である。
【図２】本考案の実施例１を示す同上直定規における孫の手部の拡大斜視図である。
【図３】本考案の実施例１を示す同上直定規における孫の手部の拡大側面図である。
【図４】本考案の実施例１を示す同上直定規の孫の手としての使用状態を示した図である。
【図５】本考案の実施例２を示す同上直定規における孫の手部の拡大斜視図である。
【図６】本考案の実施例３を示す同上直定規における孫の手部の拡大斜視図である。
【図７】本考案の実施例４を示す同上直定規における孫の手部の拡大斜視図である。
【図８】図８（ａ）〜図８（ｆ）は本考案の実施例５を示す孫の手部の切込みの変形例をそれぞれ示す斜視図である。
【図９】図９（ａ）〜図９（ｄ）は本考案の実施例６を示す孫の手部の突起の変形例をそれぞれ示す斜視図である。
【図１０】本考案の実施例７を示す同上直定規における孫の手部の拡大斜視図である。
【図１１】本考案の実施例８を示す同上直定規における孫の手部の拡大斜視図である。
【図１２】本考案の実施例９を示す同上直定規における孫の手部の拡大斜視図である。
【符号の説明】
【００５７】
1  直定規本体
3  折り曲げ部
10  切込み
11、12、15、21、24、28  掻き部
14、17、18、19、20、22、25  突起
【図１】
0003112586.tif 000003
【図２】
0003112586.tif 000004
【図３】
0003112586.tif 000005
【図４】
0003112586.tif 000006
【図５】
0003112586.tif 000007
【図６】
0003112586.tif 000008
【図７】
0003112586.tif 000009
【図８】
0003112586.tif 000010
【図９】
0003112586.tif 000011
【図１０】
0003112586.tif 000012
【図１１】
0003112586.tif 000013
【図１２】
0003112586.tif 000014